(57)【要約】【課題】少ない部品点数で、少なくとも２種類の異なる陳列台を形成できるステージボックスを提供すること。【解決手段】所定厚みｔ１を有する第１枠側板１と、第１枠側板１の上端に取り付けられる第１板状体２と、第１枠側板１の下端に取り付けられる第１板状体２と同一物の第２板状体３との嵌め込み体であり、第１板状体は、天板部と４つの第１側板を有し、第１板状体２の裏面には、下方に開放し、第１側板に沿って延びる第１枠側板の上端部が嵌る溝幅ｔ１の第１周溝２２と、第１周溝２２を形成する内壁から所定寸法ｔ２内側で、且つ四隅に形成される下方に延びる第１コーナー突起２３、を有するステージボックス１０ａ。【選択図】図１１
2019136182.tif 000002
【特許請求の範囲】
【請求項１】
所定厚み（ｔ１）を有する４つの第１大側板で形成される第１枠側板と、
該第１枠側板の上端に取り付けられる第１板状体と、
該第１枠側板の下端に取り付けられる第２板状体との嵌め込み体であり、
該第１板状体は、天板部と４つの第１側板を有し、
該第１板状体の裏面には、下方に開放し、該第１側板に沿って延びる該第１枠側板の上端部が嵌る溝幅（ｔ１）の第１周溝と、
該第１周溝を形成する内壁から所定寸法（ｔ２）内側で、且つ四隅に形成される下方に延びる第１コーナー突起と、を有し、
該第２板状体は、底板部と４つの第２側板を有し、
該第２板状体の上面には、上方に開放し、該第２側板に沿って延びる該第１枠側板の下端部が嵌る溝幅（ｔ１）の第２周溝と、
該第２周溝を形成する内壁から所定寸法（ｔ２）内側で、且つ四隅に形成される上方に延びる第２コーナー突起と、を有することを特徴とするステージボックス。
【請求項２】
該第１枠側板に代えて、（ｔ２）以上の厚みを有する４つの第２大側板で形成される第２枠側板を使用し、該第２枠側板と、
該第１板状体と、第２板状体との積層体であり、
該第２枠側板は、該第１コーナー突起と該第２コーナー突起の外側に設置されることを特徴とする請求項１記載のステージボックス。
【請求項３】
該第２枠側板の下端面は、第２板状体の第２周溝の内壁上面に当接し、該第２枠側板の上端面は、第１板状体の第１周溝の内壁下面に当接するものであることを特徴とする請求項２記載のステージボックス。
【請求項４】
該第１板状体と、該第２板状体は同一物であり、該第１周溝と該第２周溝が同じであり、該第１コーナー突起と該第２コーナー突起が同じであることを特徴とする請求項１〜３のいずれか１項に記載のステージボックス。
【請求項５】
該第１板状体の上面は、該第１側板に沿って延びる第３周溝と、該第２コーナー突起が嵌る第１係止孔と、を有することを特徴とする請求項１〜４のいずれか１項に記載のステージボックス。
【請求項６】
該第３周溝を形成する内壁から所定寸法（ｔ２）内側で、且つ四隅に形成される上方に延びる第３コーナー突起、を更に有することを特徴とする請求項５記載のステージボックス。
【請求項７】
該第２板状体の下面は、該第２側板に沿って延びる第４周溝と、該第１コーナー突起が嵌る第２係止孔と、を有することを特徴とする請求項１〜４のいずれか１項に記載のステージボックス。
【請求項８】
該第４周溝を形成する内壁から所定寸法（ｔ２）内側で、且つ四隅に形成される下方に延びる第４コーナー突起、を更に有することを特徴とする請求項７記載のステージボックス。 
【発明の詳細な説明】
【技術分野】
【０００１】
本発明は、スーパー、百貨店、専門店、コンビニエンスストアー等の店内で商品を陳列するのに用いられるものであり、軽量の嵌め込み型と重量が嵩む積層型の２種類を、枠側板を変えることで得られるステージボックスに関する。
【背景技術】
【０００２】
従来、スーパー等の店内での商品陳列方法は、それにより商品の売れ行きが左右されることが多いため、種々の工夫を凝らした方法が採られ、その模様替えも頻繁に行われている。特に、その日の特売品などは店の入口、あるいはエレベーターの乗換付近に大面積を採り、四方から顧客がアクセスできるよう、大きなステージ状の陳列台を設置して行われる。このような大きなステージ状の陳列台は、運搬や保管等を考慮して、ボックス状の台、すなわち、ステージボックスを幾つも用意し、これを縦横に並べて基礎部を形成させ、その上に必要であれば、陳列台を置きセットされる。
【０００３】
特開２００２−６５４２２号公報には、周面の側板４枚、天板１枚及び底板１枚の各部材を嵌め込みにより組立てられる箱状の樹脂製ボックスであって、前記側板は一側に１以上の横溝で区画された複数の柱状係合突部を有し、他側に補強用横リブにより区画された前記柱状係合突部と緊密に係合可能な柱状係合穴を有し、嵌め込み後は、前記柱状係合部と前記柱状係合穴で四隅の柱を形成してなることを特徴とするステージボックスが開示されている。このステージボックスによれば、組立て工具が不要で、組立て作業が極めて簡単であり、且つ軽量で十分な強度を有する。
【０００４】
また、特開２０１３−３１５４７号公報には、陳列商品が載置される平面視が長方形の天板１と、４つの側板２とから構成される硬質プラスチック製のボックス状の収納箱兼用折り畳み商品陳列台であって、少なくとも側板２の裏面はリブ構造であり、天板１と４つの側板２とは、それぞれ係合凹部２１３及び係合凸部１４２で係合され、天板１と大側板２ａ、２ｂの上下方向における係合位置は、天板１と小側板２ｃ、２ｄの上下方向における係合位置より天板１側にあり、折り畳み後は、天板１、大側板２ａ、２ｂ及び小側板２ｃ、２ｄの順で折り重ねられる陳列台が開示されている。この陳列台によれば、折り畳み構造であり、収納箱としても、また、前面開口が広い開口で、後方が囲み状の商品陳列台としても使用できる。
【０００５】
特開２０１６-１０１２１２号公報には、矩形状の開放頂面を有するコンテナボックスであって前記開放頂面に相対する底板と、前記開放頂面を規定する一対の互いに相対する第１の側板及び一対の互いに相対する第２の側板とを備え、第１の各側板及び第２の各側板のそれぞれが、その上面の両端部にそれぞれ設けられた二つの突起を有するコンテナボックスに適用される補助具であって、互いに相対する矩形状の頂面部及び底面部と、前記頂面部及び底面部の周囲を取り巻く側面部と、前記底面部に開放しかつ前記側面部に沿って伸びる周溝とを有する板状体からなり、前記板状体の周溝は、前記板状体の底面部が前記コンテナボックスの開放頂面と相対する位置にあるとき、前記コンテナボックスの第１の両側板の突起及び第２の両側板の突起を受け入れ可能である、補助具が開示されている。この補助具によれば、コンテナボックスを商品陳列手段として更に利用できるというものである。
【０００６】
しかしながら、近年、陳列の演出を高めるために、ステージボックスも多様なサイズのものが要求されている。特開２００２−６５４２２号公報のステージボックス、特開２０１３−３１５４７号公報のボックス状の折り畳み商品陳列台及び特開２０１６-１０１２１２号公報の補助具を備えるコンテナボックスは共に、サイズや形状が異なるものを欲する場合、それぞれサイズや形状が異なる複数のボックスが必要となり、製造コストが嵩むという問題がある。従って、少ない部品点数で、種々のサイズや形状の異なる陳列台を形成できるステージボックスの開発が望まれていた。
【０００７】
従って、本発明の目的は、少ない部品点数で、少なくとも２種類の異なる陳列台を形成できるステージボックスを提供することにある。
【発明の概要】
【課題を解決するための手段】
【０００８】
すなわち、本発明は上記従来の課題を解決するものであって、所定厚み（ｔ１）を有する４つの第１大側板で形成される第１枠側板と、該第１枠側板の上端に取り付けられる第１板状体と、該第１枠側板の下端に取り付けられる第２板状体との嵌め込み体であり、該第１板状体は、天板部と４つの第１側板を有し、該第１板状体の裏面には、下方に開放し、該第１側板に沿って延びる該第１枠側板の上端部が嵌る溝幅（ｔ１）の第１周溝と、該第１周溝を形成する内壁から所定寸法（ｔ２）内側で、且つ四隅に形成される下方に延びる第１コーナー突起と、を有し、該第２板状体は、底板部と４つの第２側板を有し、該第２板状体の上面には、上方に開放し、該第２側板に沿って延びる該第１枠側板の下端部が嵌る溝幅（ｔ１）の第２周溝と、該第２周溝を形成する内壁から所定寸法（ｔ２）内側で、且つ四隅に形成される上方に延びる第２コーナー突起と、を有することを特徴とするステージボックスを提供するものである。
【０００９】
また、本発明は、該第１枠側板に代えて、（ｔ２）以上の厚みを有する４つの第２大側板で形成される第２枠側板を使用し、該第２枠側板と、該第１板状体と、第２板状体との積層体であり、該第２枠側板は、該第１コーナー突起と該第２コーナー突起の外側に設置されることを特徴とする前記ステージボックスを提供するものである。
【００１０】
また、本発明は、該第２枠側板の下端面は、第２板状体の第２周溝の内壁上面に当接し、該第２枠側板の上端面は、第１板状体の第１周溝の内壁下面に当接するものであることを特徴とする前記ステージボックスを提供するものである。
【００１１】
また、本発明は、該第１板状体と、該第２板状体は同一物であり、該第１周溝と該第２周溝が同じであり、該第１コーナー突起と該第２コーナー突起が同じであることを特徴とする前記ステージボックスを提供するものである。
【００１２】
また、本発明は、該第１板状体の上面は、該第１側板に沿って延びる第３周溝と、該第２コーナー突起が嵌る第１係止孔と、を有することを特徴とする前記ステージボックスを提供するものである。
【００１３】
また、本発明は、該第３周溝を形成する内壁から所定寸法（ｔ２）内側で、且つ四隅に形成される上方に延びる第３コーナー突起、を更に有することを特徴とする前記ステージボックスを提供するものである。
【００１４】
また、本発明は、該第２板状体の下面は、該第２側板に沿って延びる第４周溝と、該第１コーナー突起が嵌る第２係止孔と、を有することを特徴とする前記ステージボックスを提供するものである。
【００１５】
また、本発明は、該第４周溝を形成する内壁から所定寸法（ｔ２）内側で、且つ四隅に形成される下方に延びる第４コーナー突起、を更に有することを特徴とする前記ステージボックスを提供するものである。
【発明の効果】
【００１６】
本発明によれば、軽量の嵌め込み型と重量が嵩む積層型の２種類を、枠側板を変えることで得られる。このため、少ない部品点数で、少なくとも２種類の異なるステージボックスを形成できる。
【図面の簡単な説明】
【００１７】
【図１】本発明の第１の実施の形態におけるステージボックスの斜視図である。
【図２】図１のステージボックスの分解斜視図である。
【図３】図１のステージボックスを構成する第１板状体の平面図である。
【図４】図１のステージボックスを構成する第１板状体の裏面図である。
【図５】図１のステージボックスを構成する第１板状体の斜視図である。
【図６】図５の第１板状体の裏側から見た斜視図である。
【図７】図１の第１板状体の平面から見た部分拡大図である。
【図８】図１の第１板状体の裏面から見た部分拡大図である。
【図９】図１のステージボックスの第１板状体の部分拡大断面図である。
【図１０】図１のステージボックスの第２板状体の部分拡大断面図である。
【図１１】本発明の第２の実施の形態におけるステージボックスの分解斜視図である。
【図１２】図１１のステージボックスの第１板状体の部分拡大断面図である。
【図１３】図１２のステージボックスの第２板状体の部分拡大断面図である。
【図１４】本発明の第３の実施の形態におけるステージボックスの分解斜視図である。
【図１５】図１４のステージボックスの第１板状体の部分拡大断面図である。
【図１６】図１４のステージボックスの第２板状体の部分拡大断面図である。
【図１７】本発明の第４の実施の形態におけるステージボックスの分解斜視図である。
【図１８】図１７のステージボックスの第１板状体の部分拡大断面図である。
【図１９】図１７のステージボックスの第２板状体の部分拡大断面図である。
【発明を実施するための形態】
【００１８】
本発明のステージボックスは、天板に相当する第１板状体と、底板に相当する第２板状体と、第１板状体と第２板状体間に位置する４つの側板が連続する枠側板とを有するものであり、厚みの異なる２種類の枠側板を使用することで、軽量の嵌め込み型ステージボックスと、重量が嵩む積層型ステージボックスを形成することができる。すなわち、軽量の嵌め込み型ステージボックスは、厚みの薄い枠側板を使用し、枠側板の上端部を第１板状体の裏面に形成された第１周溝に嵌め込み、枠側板の下端部を第２板状体の上面に形成された第２周溝に嵌め込むことで得られる。厚みの薄い枠側板としては、樹脂製のものが好ましい。
【００１９】
本発明のステージボックスにおいて、重量が嵩む積層型ステージボックスは、厚みの厚い特定の内周寸法を有する枠側板を使用し、第２板状体の上面に厚みの厚い枠側板を起立状で載せ、この枠側板の上に第１板状体を載せることで得られる。この場合、枠側板は、第１板状体及び第２板状体に形成されたコーナー突起の外側に配置されるため、枠側板、第１板状体及び第２板状体の３部品はズレることなく、安定したステージボックスを形成できる。厚みの厚い枠側板としては、ダンボール状の紙素材のものが好ましい。これにより、枠側板の表面に販売促進のための種々の印刷を施すことができる。
【００２０】
このような、２種類の異なるステージボックスを形成するため、第１板状体及び第２板状体の枠側板側には、第１周溝及び第２周溝を形成する溝壁と、コーナー突起が特定の位置関係に形成されている。また、第１板状体と第２板状体は、同一物を使用することができ、この場合、一方を上下反転するか又は上下反転することなくそのまま用いる。
【００２１】
次に、本発明の第１の実施の形態例におけるステージボックスを図１〜図１０を参照して説明する。ステージボックス１０は、重量が嵩む積層型ステージボックスであり、所定厚みを有する４つの第１大側板で形成される第１枠側板１と、第１枠側板１の上端に取り付けられる第１板状体２（天板）と、第１枠側板１の下端に取り付けられる第２板状体３（底板）との積層体である。本例においては、第１板状体２と第２板状体３は、同一物を使用しており、第２板状体３は上下反転して用いている。
【００２２】
ステージボックス１０において、第１板状体２は、天板部２１ｃと４つの第１側板２１（２１ａ、２１ａ、２１ｂ、２１ｂ）を有し、第１板状体２の裏面には、下方に開放し、第１側板２１に沿って延びる溝幅（ｔ１）の第１周溝２２と、第１周溝２２を形成する内壁２２１から所定寸法（ｔ２）内側で、且つ四隅に形成される下方に延びる第１コーナー突起２３ａと、を有する。なお、「四隅」とは、第１周溝２２を形成する内壁２２１から所定寸法（ｔ２）内側に形成される仮想の四角状の内壁の４つの角部を意味する。溝幅（ｔ１）は、第１枠側板１の厚み（ｔ１）と略同じであり、通常、３〜１０ｍｍ程度でよい。第１板状体２は、平面視が四角形（長方形）であり、従って、第１周溝２２も平面視形状は、第１板状体２の形状に対応する平面視が四角形（長方形）である。
【００２３】
また、第１板状体２の裏面（図４及び図６）において、第１コーナー突起２３ａは、第１周溝２２を形成する内壁２２１から辺方向に寸法（ｔ２）２〜８ｍｍ程度離れて形成されている。本例においては、第１周溝２２の外壁は、第１側板２１（２１ａ、２１ａ、２１ｂ、２１ｂ）である。このため、第１側板２１の外壁の外周面から第１コーナー突起２３ａまでの辺方向における寸法ｗは、（（ｔ１）＋（ｔ２）＋第１周溝２２を形成する両壁の厚み）であり、８〜２０ｍｍ程度となり、当該部分が、本例の積層型ステージボックス１０における厚みの厚い第１枠側板１の上端面又は下端面が当接する当接面となる。すなわち、この当接面は、平面視が、幅ｗの帯状の四角形であり、実際には無い仮想面（溝部）を含むものである。
【００２４】
第１板状体２において、第１周溝２２の溝深さは、第１側板２１の外壁高さの約半分である。すなわち、第１側板２１とその内側に形成される第１側板２１と同じ高さの内壁２２１間において、高さ方向の中間位置に上下を区画する区画壁２２３が形成されており、その裏側半分が第１周溝２２であり、その表側半分が他のステージボックスを形成する際、枠側板が嵌る係止溝（第３周溝）２６である。
【００２５】
第１板状体２において、第１コーナー突起２３ａは、角部に形成されるため、平面視形状はＬ字形状であり、上下方向においては、側面視において、第１側板２１の下端より下方に延びている。これにより、厚みの厚い枠側板１の横方向の動きを規制することができる。すなわち、第１コーナー突起２３ａの第１側板２１（２１ａ、２１ｂ）の下端からの長さ（突出長さ）は、数ｃｍあればよい。第１コーナー突起２３ａの先端は、水平にカットされたものが、第１板状体２を上下逆さに反転して使用する際、床などの設置面に安定して置くことができる点で好ましい。この場合、第１コーナー突起２３ａは脚部となる。
【００２６】
第１板状体２の裏面において、４箇所に形成された第１コーナー突起２３ａ以外に、同じ突出長さの突起が、周方向に適宜形成されている。すなわち、第１コーナー突起２３ａの片辺に連続する長手方向に、平面視がＩ字形状の突起２３ｅ、２３ｅが２箇所、両側で都合４箇所、短手方向及び長手方向に、平面視Ｔ字形状の突起２３ｄ、２３ｄが２箇所ずつ、両側で都合４箇所、長手方向の両端部近傍に、平面視がＬ字形状の突起２３ｃ、２３ｃが２箇所、両側で都合４箇所形成されている。これらは、第１板状体２を上下逆さに反転して使用する際、脚部群となり、床などの設置面に安定して置くことができる。また、第１板状体２を複数個、積み重ねて収納保管する際、これらの脚部群２３ａ〜２３ｅは、他の第１板状体２の対応する係止孔群２９ａ〜２９ｅに嵌合するため、両者は、強く積み重ねられる。
【００２７】
次に、第１板状体２の表面について図３及び図５を参照して説明する。第１板状体２の表面２１ｃは、第１側板２１に沿って延びる第３周溝２６と、第３周溝２６を形成する内壁２６１から所定寸法（ｔ２）内側で、且つ四隅に形成される上方に延びるコーナー突起２７と、を有する。なお、「四隅」とは、第３周溝２６を形成する内壁から所定寸法（ｔ２）内側に形成される仮想の四角状の内壁の４つの角部を意味する。本例のコーナー突起２７は、碁盤目を形成する四角突起で、且つその外角が一部切り欠かれた突起である。また、第１板状体２の表面２１ｃは、第１コーナー突起２３ａが嵌る第１係止孔２９ａ及び他の板状体の脚部群２３ｂ〜２３ｅが嵌る係止孔群２９ｂ〜２９ｅを有する。第３周溝２６は、上方に開放し、第１側板２１に沿って延びる平面視が四角形の溝であり、本例では、第１周溝２２の上下方向の逆側に位置する（図１２参照）。従って、第３周溝２６の溝幅は、第１枠側板１の厚み（ｔ１）と略同じであり、通常、３〜１０ｍｍ程度でよい。第１板状体２は、平面視が四角形（長方形）であり、従って、第３周溝２６も平面視形状は、第１板状体２の形状に対応する平面視が四角形（長方形）である。第１板状体２の表面２１ｃは、碁盤目の溝２８及びその溝で形成される碁盤目の突起を有する。これにより、碁盤目を利用した種々の陳列補助具を取り付けることができる。
【００２８】
第１係止孔２９ａ及び係止孔群２９ｂ〜２９ｅは、当該孔を形成する側壁と底壁を有する。このため、第１板状体２の裏面に表れる第１コーナー突起２３ａ及び脚部群２３ｂ〜２３ｅは、この底壁から下方に向けて起立状に設置される。従って、同じ形状の２つの第１板状体２を積み重ねて一体化する際、第１コーナー突起２３ａ及び脚部群２３ｂ〜２３ｅは、それぞれ他の第１板状体２の第１係止孔２９ａ及び係止孔群２９ｂ〜２９ｅに嵌ることになる。
【００２９】
次に、第２板状体３について説明する。本例のステージボックス１０においては、第２板状体３は、第１板状体２と同一物であり、第１板状体２を上下反転して使用するものである。従って、その説明を省略する。
【００３０】
なお、本発明において、第２板状体３は、第１板状体２と同一物でなくてもよい。その場合、第２板状体３は、底板部と４つの第２側板を有し、第２板状体の上面には、上方に開放し、第２側板に沿って延びる第１枠側板の下端部が嵌る溝幅（ｔ１）の第２周溝と、第２周溝を形成する内壁から所定寸法（ｔ２）内側で、且つ四隅に形成される上方に延びる第２コーナー突起と、を有するものが使用できる。この場合、底板部は、第１板状体２の天板部１１と同じであり、４つの第２側板は、４つの第１側板１２（１２ａ〜１２ｄ）と同じである。また、第２周溝３２は、第１板状体２の第１周溝２２と同じであり、第２コーナー突起３３ａは、第１板状体２の第１コーナー突起２３ａと同じである。第２板状体３の裏面は、第１板状体２の表面と同様であり、その説明を省略する。
【００３１】
ステージボックス１０において、第１枠側板１は、所定厚み（ｔ１）を有する４つの第１大側板１ａ、１ａ、１ｂ、１ｂで形成される平面視が四角形の囲み体である。第１枠側板１の内寸法は、第１板状体２の第１コーナー突起２３ａで形成される仮囲み壁の外側寸法と略同じである。第１枠側板１の厚みは、（ｔ２）以上、（（ｔ１）＋（ｔ２）＋第１周溝１３を形成する両壁の厚み）（符号ｗ）以下であり、通常、８〜２０ｍｍである。第１枠側板１の厚みを（ｔ２）以上とすることで、少なくとも、第１枠側板１の下端面又は上端面は、第１周溝２２又は第２周溝３２を形成する内壁の端面２２２、３２３に当接でき、設置が安定する。また、第１枠側板１の厚みの上限値を、上記ｗとすることで、第１板状体２や第２板状体３からのはみ出しを防止できる。第２枠側板３ａの厚みは大であり、内部が空洞のパネルや段ボール紙なども使用できる。
【００３２】
次に、ステージボックス１０の組み立て方法及び使用方法について説明する。第１板状体２、第１枠側板１、第２板状体３の３部材を準備する。第１板状体２と第２板状体３は同一物であるため、部品点数としては２点である。底板となる第２板状体３は、第２コーナー突起３３ａや脚部群が表れる面を上面として、床などの設置面上に置く。次に、第１枠側板１の下端面を、第２板状体３の第２コーナー突起３３ａの外側の帯状部ｗに載せて起立させる。次いで、天板となる第１板状体２を、第１コーナー突起２３ａや脚部群２３ｂ〜２３ｅが表れる面を下面として、第１枠側板１の上方に位置させ、第１板状体２の第１コーナー突起２３ａを、第１枠側板１の内側となるよう載せて積み重ね体にする。すなわち、第１枠側板１の下端面は、第２板状体３の第２周溝３２の内壁上面３２３に当接し、第１枠側板１の上端面は、第１板状体２の第１周溝２２の内壁下面２２２に当接している。これにより、ステージボックス１０が得られる。ステージボックス１０は、第１枠側板１が厚みのある厚い板状体であり、ボックス全体の重量は重いものとなる。また、３つの部材は、積み重ね体ではあるものの、左右方向のズレがなく、組み立て後の安定性は高いものである。ステージボックス１０は、単独又は複数個を組み合わせて種々の陳列面形状の陳列台セットを形成することができる。
【００３３】
ステージボックス１０を解体するには、組み立て方法の逆の方法により、３部材に分解する。分解されたステージボックス１０は、第１板状体２と第２板状体３を積み重ね、第１コーナー突起２３ａ及び脚部群２３ｂ〜２３ｅは、それぞれ第１係止孔２９ａ及び係止孔群２９ｂ〜２９ｅに嵌め込めば、同じ形状の２つの第１板状体２を積み重ねて一体化した低い高さのステージボックスが得られる。また、これを単独又は複数個あるいは組み立てられたステージボックス１０と組み合わせれば、種々の陳列面形状の陳列台セットを形成することができる。また、積み重ね高さが低いため、そのまま保管するにも適している。
【００３４】
次に、本発明の第２の実施の形態例におけるステージボックスを図１１〜図１３を参照して説明する。ステージボックス１０ａは、軽量の嵌め込み型ステージボックスである。図１１〜図１３において、図１〜図１０と同一構成要素には同一符号を付して、その説明を省略し、異なる点について主に説明する。ステージボックス１０ａにおいて、ステージボックス１０と異なる点は、枠側板の形状及び組み付け方法である。
【００３５】
すなわち、ステージボックス１０ａにおいて、ステージボックス１０と異なる点は、第１枠側板１に代えて、厚みの薄い４つの第２大側板で形成される第２枠側板１Ａを使用したこと、組み立ては、第２枠側板１Ａと第１板状体２と第２板状体３の嵌合体としたこと、である。すなわち、第２枠側板１Ａは、所定厚み（ｔ１）を有する４つの第１大側板１１ａ、１１ａ、１１ｂ、１１ｂで形成される平面視が四角形の囲み体である。第２枠側板１Ａの上端部は、第１板状体２の第１周溝２２に嵌合し、第１枠側板１の下端部は、第２板状体３の第２周溝３２に嵌合する（図１２）。これにより、第１枠側板１は、ステージボックス１０の側板を形成する。
【００３６】
次に、ステージボックス１０ａの組み立て方法及び使用方法について説明する。第１板状体２、第２枠側板１Ａ、第２板状体３の３部材を準備する。第１板状体２と第２板状体３は同一物であるため、部品点数としては２点である。底板となる第２板状体３は、第２コーナー突起３３ａや脚部群３３ｂ〜３３ｅが表れる面を上面として、床などに置く。次に、第２枠側板１Ａの下端部を、第２板状体３の第２周溝３２（第１周溝２２）の上方開口から下方に押し込んで嵌合する。次いで、天板となる第１板状体２を、第１コーナー突起２３ａや脚部群２３ｂ〜２３ｅが表れる面を下面として、第２枠側板１Ａの上方に位置させ、第１板状体２の第１周溝２２の開口を、第２枠側板１Ａの上端部に差し込み、上方から下方に押し込んで嵌合する。これにより、ステージボックス１０ａが得られる。ステージボックス１０ａは、第１枠側板１が厚みの薄い板状体であり、ボックス全体の重量は軽いものとなる。また、３つの部材は、嵌合により固定されており、組み立て強度は高いものである。ステージボックス１０ａは、単独又は複数個を組み合わせて種々の陳列面形状の陳列台セットを形成することができる。
【００３７】
ステージボックス１０ａを解体するには、組み立て方法の逆の方法により、３部材に分解する。分解されたステージボックス１０ａは、第１板状体２と第２板状体３を積み重ね、第１コーナー突起２３ａ及び脚部群２３ｂ〜２３ｅは、それぞれ第１係止孔２９ａ及び係止孔群２９ｂ〜２９ｅに嵌め込めば、同じ形状の２つの第１板状体２を積み重ねて一体化した低い高さのステージボックスが得られる。また、これを単独又は複数個あるいは組み立てられたステージボックス１０ａと組み合わせれば、種々の陳列面形状の陳列台セットを形成することができる。ステージボックス１０ａにおいて、ステージボックス１０と同様の効果を奏する。
【００３８】
次に、本発明の第３の実施の形態例におけるステージボックスを図１４〜図１６を参照して説明する。ステージボックス１０ｂは、重量のある積層型ステージボックスである。図１４〜図１６において、図１〜図１０と同一構成要素には同一符号を付して、その説明を省略し、異なる点について主に説明する。ステージボックス１０ｂにおいて、ステージボックス１０と異なる点は、底板である第１板状体２の向きである。すなわち、ステージボックス１０ｂは、ステージボックス１０における底板となる第２板状体３を、上下反転して使用するものである。
【００３９】
ステージボックス１０ｂにおいて、第２板状体３を、碁盤目の溝３８が上面となるように、床などに設置する。次いで、第１枠側板１を第２板状体３上に設置する。すなわち、第１枠側板１の下端が、第２板状体３の碁盤目の溝で形成される四角状の突起３７の外側の帯状の設置面ｗに当接するように載せる。以下、ステージボックス１０と同様の組み立て方法により、組み立てる。ステージボックス１０ｂによれば、第２板状体３の第２コーナー突起３３ａなどの突起部が脚部となり、ステージボックス１０と同様の効果を奏する。
【００４０】
次に、本発明の第４の実施の形態例におけるステージボックスを図１７〜図１８を参照して説明する。ステージボックス１０ｃは、重量のある積層型ステージボックスである。図１７〜図１８において、図１〜図１０と同一構成要素には同一符号を付して、その説明を省略し、異なる点について主に説明する。ステージボックス１０ｃにおいて、ステージボックス１０と異なる点は、第１板状体及び第２板状体の形状である。
【００４１】
すなわち、ステージボックス１０ｃにおいて、第１板状体２ａと第２板状体３ａは、同一物であり、第１板状体２ａについて説明する。第１板状体２ａの裏面は、第１板状体２と同様の第１周溝２２ａ及びコーナー突起２３ａを有する。また、第１板状体２ａの裏面には、４つのコーナー突起２３ａに連続する四角形の内壁２３１（３３１）を有しており、その内壁２３１（３３１）の適宜の位置には、平面視がＩ字形状の突起２３ｂ（３３ｂ）が形成されている。この突起２３ｂ（３３ｂ）の高さは、コーナー突起２３ａの突起高さと同じである。
【００４２】
第１板状体２ａの表面は、外縁部を除いて実質的に平坦面であり、第１側板２１（２１ｃ、２１ｃ、２１ｄ、２１ｄ）に沿って延びる周溝２９ａと、コーナー突起２３ａが嵌る係止孔２９ｂと、を有する。また、他の板状体の脚部群３３ｂが嵌る係止孔群２９ｃを有する。第１板状体２ａの裏面の第１周溝２２ａは、下方に開放し、第１側板２１に沿って延びる平面視が四角形の溝である。従って、第１周溝２２ａの溝幅は、第１枠側板１Ａの厚み（ｔ１）と略同じであり、通常、３〜１０ｍｍ程度でよい。第１板状体２ａは、平面視が四角形（長方形）であり、従って、第１周溝２２ａも平面視形状は、第１板状体２ａの形状に対応する平面視が四角形（長方形）である。
【００４３】
積層型のステージボックス１０ｃの組み付け方法は、積層型のステージボックス１０と同様であり、その説明を省略する。また、ステージボックス１０ｃは、第１板状体２ａは、上下反転した使用はしないものの、ステージボックス１０と同様の効果を奏する。
【００４４】
ステージボックス１０ｃは、図１７及び図１８以外に、図１９に示す使用方法が挙げられる。図１９のステージボックス１０ｄにおいて、図１８のステージボックス１０ｃと同一構成要素には同一符号を付して、その説明を省略し、異なる点について主に説明する。すなわち、図１９のステージボックス１０ｄにおいて、図１８のステージボックス１０ｃと異なる点は、枠側板の形状である。すなわち、図１９のステージボックス１０ｄは、厚みの薄い第２枠側板１Ａを使用し、第２枠側板１Ａの上端部は、第１板状体２ａの第１周溝２２ａに嵌合し、第２枠側板１Ａの下端部は、第２板状体３ａの周溝３２ａに嵌合させたものである。これにより、嵌め込み型のステージボックス１０ｄを得ることができる。
【００４５】
また、本発明は、ステージボックス１０〜１０ｄを、それぞれ複数使用すること、あるいはそれらを組み合わせて使用することで、ステージボックスセット（陳列台セット）を形成することができる。例えば、ステージボックス１０を２個、積み重ねて使用する場合、下のステージボックス１０に対して、第１枠側板１を組み付ければよい。これにより、第１板状体を１個減らすことができる。この使用方法は、ステージボックス１０ｄを除く、ステージボックス１０ａ〜１０ｃの場合に適用できる。
【００４６】
ステージボックス１０〜１０ｄの第１枠側板１は、上記の厚みのものに限定されず、第１周溝２２を形成する内壁に先端がかかる程度の厚みであればよい。従って、使用する第１枠側板１の選択の余地が増える。  
【産業上の利用可能性】
【００４７】
本発明によれば、軽量の嵌め込み型と重量が嵩む積層型の２種類を、枠側板を変えることで得られる。このため、少ない部品点数で、少なくとも２種類の異なるステージボックスを形成でき、コストを抑制して陳列の演出を高めることができる。
【符号の説明】
【００４８】
１      第１枠側板
２      第１板状体（天板）
３      第２板状体３（底板）
１０、１０ａ〜１０ｄ  ステージボックス
２１（２１ａ、２１ａ、２１ｂ、２１ｂ）      第１側板
２２    第１周溝
２３ａ  第１コーナー突起
【図１】
2019136182.tif 000003
【図２】
2019136182.tif 000004
【図３】
2019136182.tif 000005
【図４】
2019136182.tif 000006
【図５】
2019136182.tif 000007
【図６】
2019136182.tif 000008
【図７】
2019136182.tif 000009
【図８】
2019136182.tif 000010
【図９】
2019136182.tif 000011
【図１０】
2019136182.tif 000012
【図１１】
2019136182.tif 000013
【図１２】
2019136182.tif 000014
【図１３】
2019136182.tif 000015
【図１４】
2019136182.tif 000016
【図１５】
2019136182.tif 000017
【図１６】
2019136182.tif 000018
【図１７】
2019136182.tif 000019
【図１８】
2019136182.tif 000020
【図１９】
2019136182.tif 000021